(57)【要約】【課題】補正の精度を高めることができる補正方法等を提供する。【解決手段】判定装置２０は、１種類以上の参照光を測定部位に照射することによって生体から放射される放射光の測定結果を用いて、測定部位に含まれる複数種類の影響物質の、蛍光の強度に及ぼす影響を示す複数の影響度を算出する影響度算出部２４と、複数の影響度を用いて、蛍光データを補正する蛍光強度補正部２５とを備えている。【選択図】図１
2013134147.tif 000002
【特許請求の範囲】
【請求項１】
４１０ｎｍ以下の波長範囲にピークを有する励起光を生体の測定部位に照射することによって生じる、測定対象物質の蛍光の強度を示す蛍光データを補正する補正装置であって、
５００ｎｍ以上、９００ｎｍ以下の波長範囲にピークを有する１種類以上の参照光を上記測定部位に照射することによって上記生体から放射される放射光の測定結果を用いて、上記測定部位に含まれると推定される複数種類の影響物質の、上記蛍光の強度に及ぼす影響を示す複数の影響度を算出する影響度算出部と、
上記影響度算出部が算出した複数の影響度を用いて、上記蛍光データを補正する蛍光強度補正部とを備えることを特徴とする補正装置。
【請求項２】
上記蛍光強度補正部は、各影響物質の影響度に対応する蛍光強度減衰量を、上記蛍光データが示す蛍光の強度に加算することにより当該蛍光データを補正することを特徴とする請求項１に記載の補正装置。
【請求項３】
上記影響度算出部は、上記測定部位に上記参照光を照射したときの放射光の強度または当該強度に基づいて算出される算出値を、予め放射光の強度または上記算出値と上記影響物質による蛍光強度の減衰量との関係から算出した数式に代入することで、上記影響度を算出することを特徴とする請求項１または２に記載の補正装置。
【請求項４】
上記影響度算出部は、上記複数種類の影響物質の少なくとも１つについて、２種類以上の上記参照光を上記測定部位に照射することによって生じる２種類以上の放射光の測定結果を用いて当該影響物質の影響度を算出することを特徴とする請求項１〜３のいずれか１項に記載の補正装置。
【請求項５】
上記励起光は、ＡＧＥｓ（Ａｄｖａｎｃｅｄ  Ｇｌｙｃａｔｉｏｎ  Ｅｎｄｐｒｏｄｕｃｔｓ）の検出に適した波長を有していることを特徴とする請求項１〜４のいずれか１項に記載の補正装置。
【請求項６】
請求項１に記載の補正装置と、
４１０ｎｍ以下の波長範囲にピークを有する励起光を生体の測定部位に照射する励起光照射部と、
上記励起光が上記測定部位に照射されることによって生じる蛍光の強度を測定する蛍光測定部と、
５００ｎｍ以上、９００ｎｍ以下の波長範囲にピークを有する１種類以上の参照光を上記測定部位に照射する参照光照射部と、
上記１種類以上の参照光を上記測定部位に照射することによって上記生体から放射される放射光の強度を測定する放射光測定部とを含むことを特徴とする測定システム。
【請求項７】
４１０ｎｍ以下の波長範囲にピークを有する励起光を生体の測定部位に照射することによって生じる、測定対象物質の蛍光の強度を示す蛍光データを補正する補正方法であって、
５００ｎｍ以上、９００ｎｍ以下の波長範囲にピークを有する１種類以上の参照光を上記測定部位に照射することによって上記生体から放射される放射光の測定結果を用いて、上記測定部位に含まれると推定される複数種類の影響物質の、上記蛍光の強度に及ぼす影響を示す複数の影響度を算出する影響度算出工程と、
上記影響度算出工程において算出した複数の影響度を用いて、上記蛍光データを補正する補正工程とを含むことを特徴とする補正方法。
【請求項８】
標準となる蛍光を受光し、その蛍光の強度を測定する標準蛍光測定工程と、
上記標準蛍光測定工程において測定した蛍光の強度に基づいて、上記蛍光データが示す蛍光の強度を補正する第２補正工程とをさらに含むことを特徴とする請求項７に記載の補正方法。
【請求項９】
上記参照光を所定の反射板に照射することにより生じた反射光を受光する基準反射光受光工程と、
上記基準反射光受光工程において受光した反射光の強度に基づいて、上記影響度算出工程において用いる上記放射光の強度を補正する第３補正工程とをさらに含むことを特徴とする請求項７または８に記載の補正方法。
【発明の詳細な説明】
【技術分野】
【０００１】
本発明は、生体内に存在する測定対象物質の測定値を補正する補正方法、当該補正を行う補正装置、および当該補正装置を含む測定システムに関する。
【背景技術】
【０００２】
従来、抗糖化（抗加齢）化粧品として、肌に蓄積したＡＧＥｓ（Advanced Glycation Endproducts；後期糖化反応生成物）の低減を目的としたものが商品化されている。このＡＧＥｓは、タンパク質と、糖質や脂質との非酵素的糖付加反応（メイラード反応）により形成される最終生成物であり、黄褐色を呈し、その一部は蛍光を発する物質である。また、ＡＧＥｓは、近くに存在する構造蛋白質と結合して架橋を形成する性質を有している。特にＡＧＥｓと真皮を構成しているコラーゲンとの架橋は、皮膚の弾力性を低下させるとともに、くすみの原因となることで問題となっている。
【０００３】
このようなＡＧＥｓをモニタリングすることで、肌の健康状態、老化を評価することができる。生体を侵襲することなく手軽にＡＧＥｓのデータを取得する方法として、皮膚コラーゲンに結合したＡＧＥｓからの蛍光スペクトルを測定し、測定した蛍光強度から肌に蓄積したＡＧＥｓの量を求める方法が知られている。
【０００４】
この方法では、メラニンなど皮膚中に存在する吸光物質が検出結果に影響を及ぼすことが知られている。つまり、メラニンなどの吸光物質が、入射する励起光の一部を吸収する、あるいは発生する蛍光の一部を吸収することで、ＡＧＥｓを正確に測定することを阻害するという問題点がある。
【０００５】
上記課題の対策として、皮膚中の、特に表皮中の吸光物質などの阻害要因の影響を除く方法として特許文献１や非特許文献１に記載の方法が報告されている。
【０００６】
特許文献１に記載の方法では、肌に励起光を照射することで発生する蛍光を測定するとともに、上記蛍光の波長を含む検査光を肌に照射し、その反射光を測定した結果を示す反射光データにより蛍光データを補正している。
【０００７】
非特許文献１に記載の方法では、メラニンやヘモグロビンに関する情報を、一波長による反射光データにより取得し、当該情報を用いて蛍光データを補正している。
【先行技術文献】
【特許文献】
【０００８】
【特許文献１】特開２００４−２９０２３４号公報（２００４年１０月２１日公開）
【非特許文献１】Renhua Na. et al, The Journal of Investigative Dermatology, Vol. 116, No.4, p536-540, APRIL 2001
【発明の概要】
【発明が解決しようとする課題】
【０００９】
ところが、上記特許文献１のおよび非特許文献１の方法では、１波長の光による反射光データにより蛍光データを補正しているため、補正の精度が低いという問題が生じる。
【００１０】
本発明は、上記の問題点を解決するためになされたもので、その目的は、蛍光強度の補正の精度を高めることができる補正方法および当該補正を行う補正装置等を提供することにある。
【課題を解決するための手段】
【００１１】
本発明に係る補正装置は、上記の課題を解決するために、
４１０ｎｍ以下の波長範囲にピークを有する励起光を生体の測定部位に照射することによって生じる、測定対象物質の蛍光の強度を示す蛍光データを補正する補正装置であって、
５００ｎｍ以上、９００ｎｍ以下の波長範囲にピークを有する１種類以上の参照光を上記測定部位に照射することによって上記生体から放射される放射光の測定結果を用いて、上記測定部位に含まれると推定される複数種類の影響物質の、上記蛍光の強度に及ぼす影響を示す複数の影響度を算出する影響度算出部と、
上記影響度算出部が算出した複数の影響度を用いて、上記蛍光データを補正する蛍光強度補正部とを備えることを特徴としている。
【００１２】
上記の構成によれば、４１０ｎｍ以下の波長範囲にピークを有する励起光を生体の測定部位（例えば、腕の皮膚表面）に照射することによって、当該励起光を受けて蛍光を発する測定対象物質の蛍光が発生し、その蛍光の強度を測定することにより、当該測定対象物質の蓄積量を測定することができる。
【００１３】
このようにして得られた蛍光の強度は、測定部位に含まれる影響物質（例えば、吸光物質）の影響により、真の値よりも低い値となっている可能性が高い。
【００１４】
そこで、影響度算出部は、１種類以上の参照光を測定部位に個別に照射することによって生じる放射光（反射光、散乱光または蛍光）の測定結果をそれぞれ用いて、複数種類の影響物質の、上記蛍光の強度に及ぼす影響を示す影響度を算出する。上記参照光は、５００ｎｍ以上、９００ｎｍ以下の波長範囲にピークを有する光である。
【００１５】
参照光の波長範囲が励起光の波長範囲と異なっていることにより、測定対象物質以外の影響物質の影響をより正確に測定することができる。例えば、影響物質の一例として想定されるメラニンは、６６０ｎｍの波長の光を用いて吸収量を算出することができる。
【００１６】
そして、蛍光強度補正部は、算出された複数の影響度を用いて蛍光データを補正する。複数の影響度を用いて補正を行うことにより、１つの影響度を用いて補正を行う場合よりも補正の精度を高めることができる。
【００１７】
なお、励起光の照射位置と参照光の照射位置とを一致させることが好ましいが、完全に一致させる必要は必ずしもなく、参照光の照射位置は、励起光の照射位置の近傍であればよい。
【００１８】
本発明の一実施形態において、上記蛍光強度補正部は、各影響物質の影響度に対応する蛍光強度減衰量を、上記蛍光データが示す蛍光の強度に加算することにより当該蛍光データを補正することが好ましい。
【００１９】
上記の構成によれば、複数種類の影響物質の存在によって真値よりも低く検出される測定対象物質の蛍光強度を、複数の影響度を用いて補うことができ、測定対象物質の蛍光強度を真値に近づけることができる。
【００２０】
本発明の一実施形態において、上記影響度算出部は、上記測定部位に上記参照光を照射したときの放射光の強度または当該強度に基づいて算出される算出値を、予め放射光の強度または上記算出値と上記影響物質による蛍光強度の減衰量との関係から算出した数式に代入することで、上記影響度を算出することが好ましい。
【００２１】
上記の構成によれば、予め検量線を示す数式を算出しておくことで、測定時に精度良く影響度を算出することができる。なお、放射光の強度に基づいて算出される算出値とは、例えば、参照光の反射率または吸光度である。
【００２２】
本発明の一実施形態において、上記影響度算出部は、上記複数種類の影響物質の少なくとも１つについて、２種類以上の上記参照光を上記測定部位に照射することによって生じる２種類以上の放射光の測定結果を用いて当該影響物質の影響度を算出することが好ましい。
【００２３】
上記の構成によれば、１種類の影響物質の影響度を算出するために２種類以上の参照光が用いられるため、影響度の算出精度を高めることができる。
【００２４】
本発明の一実施形態において、上記励起光は、ＡＧＥｓ（Ａｄｖａｎｃｅｄ  Ｇｌｙｃａｔｉｏｎ  Ｅｎｄｐｒｏｄｕｃｔｓ）の検出に適した波長を有している。
【００２５】
上記の構成により、測定部位におけるＡＧＥｓの蓄積量を測定することができる。
【００２６】
本発明に係る測定システムは、上記の課題を解決するために、
上記補正装置と、
４１０ｎｍ以下の波長範囲にピークを有する励起光を生体の測定部位に照射する励起光照射部と、
上記励起光が上記測定部位に照射されることによって生じる蛍光の強度を測定する蛍光測定部と、
５００ｎｍ以上、９００ｎｍ以下の波長範囲にピークを有する１種類以上の参照光を上記測定部位に照射する参照光照射部と、
上記１種類以上の参照光を上記測定部位に照射することによって上記生体から放射される放射光の強度を測定する放射光測定部とを含むことを特徴としている。
【００２７】
上記の構成によれば、励起光照射部によって励起光が測定部位に照射され、これによって生じた蛍光の強度を蛍光測定部が測定する。また、参照光照射部によって１種類以上の参照光が測定部位に照射され、これによって生じた放射光の強度を放射光測定部が測定する。これらの測定結果を用いて、補正装置が影響度を算出し、算出した影響度を用いて、蛍光データを補正する。
【００２８】
それゆえ、１つの影響度を用いて補正を行う場合よりも補正の精度を高めることができる。
【００２９】
本発明に係る補正方法は、上記の課題を解決するために、
４１０ｎｍ以下の波長範囲にピークを有する励起光を生体の測定部位に照射することによって生じる、測定対象物質の蛍光の強度を示す蛍光データを補正する補正方法であって、
５００ｎｍ以上、９００ｎｍ以下の波長範囲にピークを有する１種類以上の参照光を上記測定部位に照射することによって上記生体から放射される放射光の測定結果を用いて、上記測定部位に含まれると推定される複数種類の影響物質の、上記蛍光の強度に及ぼす影響を示す複数の影響度を算出する影響度算出工程と、
上記影響度算出工程において算出した複数の影響度を用いて、上記蛍光データを補正する補正工程とを含むことを特徴としている。
【００３０】
上記の構成によれば、４１０ｎｍ以下の波長範囲にピークを有する励起光を生体の測定部位に照射することによって、当該励起光を受けて蛍光を発する測定対象物質の蛍光が発生し、その蛍光の強度を測定することにより、当該測定対象物質の蓄積量を測定することができる。
【００３１】
このようにして得られた蛍光の強度は、測定部位に含まれる影響物質の影響により、真の値よりも低い値となっている可能性が高い。
【００３２】
そこで、１種類以上の参照光を測定部位に個別に照射することによって生じる放射光の測定結果をそれぞれ用いて、複数種類の影響物質の、上記蛍光の強度に及ぼす影響を示す影響度を算出する。上記参照光は、５００ｎｍ以上、９００ｎｍ以下の波長範囲にピークを有する光である。
【００３３】
参照光の波長範囲が励起光の波長範囲と異なっていることにより、測定対象物質以外の影響物質の影響をより正確に測定することができる。
【００３４】
そして、算出された複数の影響度を用いて蛍光データを補正することにより、１つの影響度を用いて補正を行う場合よりも補正の精度を高めることができる。
【００３５】
本発明の一実施形態において、上記補正方法は、標準となる蛍光を受光し、その蛍光の強度を測定する標準蛍光測定工程と、
上記標準蛍光測定工程において測定した蛍光の強度に基づいて、上記蛍光データが示す蛍光の強度を補正する第２補正工程とをさらに含むことが好ましい。
【００３６】
上記の構成によれば、標準となる蛍光を受光することによって得られた測定値に基づいて、上記蛍光データが示す蛍光の強度が補正される。
【００３７】
それゆえ、何らかの原因により、蛍光を検出する検出器の感度が変化するなど、蛍光の検出に関わる部材に異常が生した場合に、その異常によって影響を受けた蛍光データを補正することができ、測定対象物質の測定精度を高めることができる。
【００３８】
なお、第２補正工程は、蛍光の検出器などの測定装置が測定値に対して与える影響を除くためのものであるため、吸光物質の影響を除くための第１補正工程における補正には影響を及ぼさない。そのため、第２補正工程は、第１補正工程より先に行われても、第１補正工程の後に行われてもよい。
【００３９】
本発明の一実施形態において、上記参照光を所定の反射板に照射することにより生じた反射光を受光する基準反射光受光工程と、
上記基準反射光受光工程において受光した反射光の強度に基づいて、上記影響度算出工程において用いる上記放射光の強度を補正する第３補正工程とをさらに含むことが好ましい。
【００４０】
上記の構成によれば、参照光を所定の反射板（例えば、白色板）に照射することにより生じた反射光の強度に基づいて、反射光の強度が補正される。
【００４１】
それゆえ、何らかの原因により参照光の光出力が所定の強度から変化した場合や反射光を検出する検出器の感度が変化した場合に、その変化に応じて、影響度算出工程において用いる放射光の強度を補正することができ、測定対象物質の測定精度を高めることができる。
【発明の効果】
【００４２】
本発明は、複数の影響度を用いて補正を行うことにより、１つの影響度を用いて補正を行う場合よりも蛍光強度の補正の精度を高めることができるという効果を奏する。
【図面の簡単な説明】
【００４３】
【図１】本発明の一実施形態に係る肌状態判定システムの構成を示す図である。
【図２】上記肌状態判定システムに含まれる測定装置の第１実施例を示す概略図である。
【図３】上記肌状態判定システムに含まれる測定装置の第２実施例を示す概略図である。
【図４】上記肌状態判定システムに含まれる測定装置の第３実施例を示す概略図である。
【図５】上記肌状態判定システムにおける処理の流れの一例を示すフローチャートである。
【図６】皮膚ファントムモデルを用いたメラニン量依存ＡＧＥｓ測定実験の方法を説明するための図である。
【図７】人工的に合成した糖化コラーゲン（ＡＧＥs）を用いた蛍光スペクトルを示す図である。
【図８】図６に示す皮膚ファントムモデルを用いたメラニン量依存ＡＧＥｓ測定実験における蛍光強度の補正前後の値を示すグラフである。
【図９】図８に示すグラフの部分拡大図である。
【図１０】皮膚ファントムモデルを用いたヘモグロビン量依存ＡＧＥｓ測定実験の方法を説明するための図である。
【図１１】図１０に示す皮膚ファントムモデルを用いたヘモグロビン量依存ＡＧＥｓ測定実験における蛍光強度の補正前後の値を示すグラフである。
【図１２】図１１に示すグラフの部分拡大図である。
【図１３】皮膚ファントムモデルを用いたメラニンおよびヘモグロビン量依存ＡＧＥｓ測定実験の方法を説明するための図である。
【図１４】皮膚ファントムモデルを用いたメラニン量およびヘモグロビン量依存ＡＧＥｓ測定実験における蛍光強度の補正前後の値を示すグラフである。
【発明を実施するための形態】
【００４４】
〔実施の形態１〕
本発明の実施の一形態について図１〜図５に基づいて説明すれば、以下のとおりである。図１は、肌状態判定システム（測定システム）１００の構成を示す図である。図１に示すように、肌状態判定システム１００は、測定装置（測定部）１０および判定装置（判定部）２０を備えている。
【００４５】
この肌状態判定システム１００では、測定装置１０において測定対象物質である肌内蛍光物質を検出するための励起光が照射されるとともに、当該蛍光強度に影響を及ぼす可能性のある影響物質を検出するための参照光が照射される。そして、測定装置１０は、励起光の照射によって発生した蛍光および参照光の照射によって発生した放射光の強度を測定する。判定装置２０は、放射光の強度に基づいて蛍光の強度を補正し、補正した蛍光強度に基づいて肌状態を判定する。
【００４６】
＜測定装置１０の概要＞
測定装置１０は、測定対象の個体（生体）の肌（皮膚）における測定部位７０に対して励起光を照射し、当該照射によって生じる、測定対象物質の蛍光強度を測定する。また、測定装置１０は、上記蛍光強度を示す蛍光データを補正するための１種類以上の参照光を測定部位７０に照射し、当該照射によって生体から放射される放射光（反射光、蛍光など）の強度を測定する。
【００４７】
しかしながら、測定装置１０が取得するデータは、このような蛍光や放射光のデータのみに限られず、その他の物性情報（または物理量）を取得するようにしてもよい。
【００４８】
例えば、一般に、肌の一部に光が照射されることにより生じる光としては、照射した光が反射した反射光、反射した光が肌を透過した透過光、または、励起光を照射することによって生じた蛍光（肌に含まれる物質に由来する蛍光）などを挙示できる。
【００４９】
よって、測定装置１０は、本実施形態において示す光の強度の他、例えば、その半値幅、検出された光の波長、肌の透過率などといった、肌の一部に含まれる物質などに由来する物性情報（または物理量）のいずれかを特定するものであればよい。
【００５０】
測定装置１０の測定対象となる測定部位７０は、例えば、腕、手首、指、手のひら、頬、耳等であり、これらの測定部位７０に対して励起光および参照光が照射される。
【００５１】
励起光の照射位置と参照光の照射位置とを一致させることが好ましいが、完全に一致させる必要は必ずしもなく、参照光の照射位置は、励起光の照射位置の近傍であればよい。
【００５２】
＜測定装置１０の構成＞
測定装置１０は、励起光源（励起光照射部）１１、検出器（蛍光測定部、放射光測定部）１２、第１参照光源（参照光照射部）１３および第２参照光源（参照光照射部）１４を備えている。
【００５３】
（励起光源１１）
励起光源１１は、４１０ｎｍ以下の波長範囲にピークを有する励起光を測定部位７０に照射するための光源である。励起光源１１として、ハロゲンやキセノン光源のような管球タイプのものや、ＬＥＤ（発光ダイオード）、ＬＤ（レーザダイオード）等が利用可能である。
【００５４】
励起光の波長範囲は、測定対象物質の種類に応じて設定されればよい。例えば、励起光は、後期糖化反応生成物（ＡＧＥｓ（Ａｄｖａｎｃｅｄ  Ｇｌｙｃａｔｉｏｎ  Ｅｎｄｐｒｏｄｕｃｔｓ））の検出することが可能な波長範囲を有していてもよい。
【００５５】
ＡＧＥｓには、現在構造が明らかになったものだけでも２０ほどの種類があり、その中で励起光を照射すると蛍光を発するものがいくつかある。例えば、ペントシジンおよびベスパーリジンはＡＧＥｓの代表的な例である。
【００５６】
ペントシジンはペントースと等モルのリジンとアルギニンとが架橋した構造を有し、酸加水分解後に安定な蛍光性物質である。このペントシジンは、特に糖尿病の発症や末期の腎症において増加することが報告されている。ペントシジンは、３２８〜３３５ｎｍの波長の励起光を受けて３７８〜３８５ｎｍの蛍光を発する。
【００５７】
ベスパーリジンはＡＧＥ化ウシ血清アルブミン（ＢＳＡ）を酸加水分解した後、主要な蛍光性物質として単離され、２分子のリジンを架橋した構造を有している。ベスパーリジンは、３７０ｎｍの波長の励起光を受けて４４０ｎｍの蛍光を発する。
【００５８】
これらのＡＧＥｓを検出するための励起光の波長としては、３７０ｎｍまたはその近傍の波長（３１５〜４００ｎｍ）が適している。ＡＧＥｓの種類によって適応する励起光の幅としては、近紫外領域である３１５〜４００ｎｍから可視光領域である３１５〜６００ｎｍのものが適している。すなわち、ＡＧＥｓを検出するための励起光の波長範囲として３１５ｎｍ以上、６００ｎｍ以下の範囲を設定することができる。
【００５９】
しかしながら、本実施形態では、励起光の波長範囲と参照光の波長範囲とを分けるために、励起光の波長範囲は、４１０ｎｍ以下であることが好ましい。
【００６０】
本実施形態では、励起光の波長は、近紫外領域の２３０ｎｍ以上、３６５ｎｍ以下の波長か、青紫領域の４０５ｎｍの波長となっている。このような波長の光を測定部位７０の特定部位（例えば、真皮など）に照射することにより、照射位置の真皮に蓄積している測定対象物質（例えば、ＡＧＥｓ）からの蛍光が得られる。
【００６１】
励起光源１１から出射される励起光は、直接、測定部位７０に照射されてもよく、入射用光ファイバーや光学ロッド等の導光部材（プローブ）によって測定部位７０まで導光されてもよい。このような導光部材も励起光照射部に含めることができる。
【００６２】
励起光の照射および蛍光の受光のために光ファイバーを用いる場合には、励起光出射用ファイバーと蛍光受光用ファイバーとが束ねられたバンドルファイバーを用いてもよい。励起光出射用ファイバーおよび励起光源１１、ならびに、蛍光受光用ファイバーおよび検出器１２はＳＭＡ（Sma[Sab Miniature Type A]）コネクタを通して結合されればよい。プローブとして光ファイバを用いることにより、励起光をできるだけロス無く測定部位７０まで導くことができる。
【００６３】
また、測定装置１０は、据え置き型の装置であっても、ユーザが保持するタイプのものであってもよい。
【００６４】
（第１参照光源１３・第２参照光源１４）
第１参照光源１３および第２参照光源１４は、５００ｎｍ以上、９００ｎｍ以下の波長範囲（赤色光の波長範囲）にピークを有する１種類以上の参照光を測定部位７０に照射するための光源である。第１参照光源１３および第２参照光源１４として、ハロゲンやキセノン光源のような管球タイプのものや、ＬＥＤ、ＬＤ等が利用可能である。
【００６５】
測定装置１０が備える参照光源は、２種類に限定されず、３種類以上であってもよい。また、１種類の参照光を用いて複数種類の影響物質を検出できる場合には、当該１種類の参照光を出射する参照光源を設けてもよい。つまり、測定装置１０が検出可能な影響物質の種類が２種類以上であればよく、参照光の種類が２種類以上である必要はない。
【００６６】
１種類の参照光を用いて複数種類の影響物質を検出する方法として、例えば、５６８ｎｍの参照光を用いる場合が挙げられる。検出対象の影響物質はメラニンおよびヘモグロビンである。
【００６７】
メラニンは紫外から可視領域にかけて吸収を示す。一方でヘモグロビンは５６８ｎｍに吸収のピークを示す。したがって、５６８ｎｍの光を照射したとき、上記各物質は吸収を示す。各物質の吸収率データ（例えば、メラニンがＸ％、ヘモグロビンがＹ％）からそれぞれの物質の影響度を求めることができる。
【００６８】
また、２種類以上の参照光を用いる場合には、そのうちの１つが５００ｎｍ以上、９００ｎｍ以下の波長範囲にピークを有する参照光であればよく、他の参照光が上記波長範囲以外の範囲にピークを有していてもよい。例えば、２種類の参照光を用いる場合に、一方が励起光と同様のピーク波長を有するものであり、他方が５００ｎｍ以上、９００ｎｍ以下の波長範囲にピークを有するものであってもよい。
【００６９】
説明を簡単にするために以下では、影響物質の種類が２つの場合の構成について説明する。
【００７０】
第１参照光源１３および第２参照光源１４は、互いに異なるピーク波長を有する参照光を出射する。第１参照光源１３から出射される参照光を第１参照光と称し、第２参照光源１４から出射される参照光を第２参照光と称する。
【００７１】
第１参照光は、第１影響物質を検出するための光であり、第１影響物質を検出するために好ましいピーク波長を有している。
【００７２】
第２参照光は、第２影響物質を検出するための光であり、第２影響物質を検出するために好ましいピーク波長を有している。
【００７３】
上記影響物質とは、測定部位７０に含まれると推定される物質であり、上記蛍光の強度に影響を及ぼす可能性のある物質である。例えば、上記影響物質とは、励起光源１１が出射する励起光を吸収する物質、または励起光の照射によって生じる蛍光を吸収する物質である。
【００７４】
参照光のピーク波長は、５００ｎｍ以上、９００ｎｍ以下であることが好ましい。本実施形態で検出対象としているＡＧＥｓは、主に紫外光〜可視光領域の波長の光を吸収するため、このような波長の光を用いることで、ＡＧＥｓ由来の吸光の影響が低減された肌内吸光物質（影響物質）の情報（物理量）を得ることができる。
【００７５】
上記影響物質としての肌内吸光物質の一例として、メラニンおよびヘモグロビンを挙げることができる。メラニン量測定には、６６０ｎｍと８８０ｎｍとの２種類の波長の光を用いることが望ましい。また、ヘモグロビン量測定には５６８ｎｍと６６０ｎｍとの２種類の波長の光を用いることが望ましい。このように１種類の影響物質を検出するために２種類の参照光を照射する構成については、後述する。
【００７６】
また、参照光のピーク波長と励起光のピーク波長とが異なっていることにより、測定対象物質以外の影響物質の影響をより正確に測定することができる。
【００７７】
第１参照光源１３および第２参照光源１４から出射される参照光は、直接、測定部位７０に照射されてもよく、光ファイバー等の導光部材によって測定部位７０まで導光されてもよい。このような導光部材も参照光照射部に含めることができる。
【００７８】
参照光の照射および放射光の受光のために光ファイバーを用いる場合には、参照光出射用ファイバーと放射光受光用ファイバーとが束ねられているバンドルファイバーを用いてもよい。第１参照光出射用ファイバーと第１参照光源１３、および、第２参照光出射用ファイバーと第２参照光源１４とはＳＭＡコネクタを通して結合されればよい。蛍光を検出する検出器と放射光を検出する検出器とが同一である場合には、放射光受光用ファイバーを、蛍光受光用ファイバーと兼用してもよい。
【００７９】
プローブとして光ファイバを用いることにより、放射光をできるだけロス無く検出器１２まで導くことができる。
【００８０】
励起光と参照光とは、測定部位７０における概ね同一の位置に照射されることが好ましい。そのため、励起光出射用ファイバーの励起光出射端部と、参照光出射用ファイバーの参照光出射端部とは、近接した位置に配置されていることが好ましい。受光用ファイバーを蛍光受光用と放射光受光用とで兼用する場合には、励起光出射用ファイバー、参照光出射用ファイバーおよび受光用ファイバーをバンドルファイバーとして形成してもよい。
【００８１】
蛍光を検出する場合、蛍光収率を高めるために、受光用ファイバーを測定対象に対して垂直に配置することが望ましい。
【００８２】
一方、反射光を検出する場合は、参照光出射用ファイバーから出射される参照光の入射角と受光用ファイバーが受ける反射光の反射角とが等しい位置に各ファイバーを配置することが望ましい。この場合に、反射光の収率が高くなる。
【００８３】
したがって、蛍光と反射光とを同一の受光ファイバーで受ける場合は、全てのファイバーが測定対象に対して垂直に配置されていることが望ましい。
【００８４】
（検出器１２）
検出器１２は、上記励起光が測定部位７０の表面（肌）に照射されることによって発生した蛍光を、反射用光ファイバー等の光学部材を通して受光し、その蛍光の波長ごとの強度を測定する。すなわち、検出器１２は、どの波長の蛍光がどの程度の強さで検出されたのかを測定する。
【００８５】
なお、反射用光ファイバーを用いることは必須ではなく、検出器１２が上記蛍光を直接受光してもよい。
【００８６】
検出器１２としてはＣＣＤ（charge-coupled device）アレイやＣＭＯＳ（ｃ metal-oxide semiconductor）イメージセンサといった半導体検出器、光電子倍増管（ＰＭＴ）やチャンネルトロン検出器等が利用可能である。ただし、測定装置１０の可搬性を高める上では、半導体検出器を用いるほうが有利である。
【００８７】
蛍光は励起光よりも波長が長いため、検出器１２としては、３２０〜５００ｎｍの範囲の光が検出できるものであればよいが、蛍光についても、ＡＧＥｓの種類によって検出される波長に幅があるため、３２０〜９００ｎｍの範囲が検出できるものであれば利用可能である。
【００８８】
一方で、検出器１２は、１種類以上の参照光を測定部位７０に照射することによって生体から放射される放射光（反射光、蛍光など）を、反射用光ファイバー等の光学部材を通して受光し、その強度を測定する。すなわち、検出器１２は、蛍光測定部と放射光測定部との２つの測定部の機能を兼ね備えている。
【００８９】
放射光測定部としての検出器１２は、第１参照光源１３および第２参照光源１４から発せられる参照光の波長範囲と同範囲の波長を検出できるものであればよい。具体的には、３２０〜９００ｎｍの範囲が検出できるものであれば利用可能である。
【００９０】
励起光源１１と検出器１２との組を測定対象物質測定部１５として捉え、第１参照光源１３、第２参照光源１４および検出器１２の組を影響物質測定部１６として捉えることもできる。また、蛍光測定部としての検出器１２と、放射光測定部としての検出器１２とを別々に設けてもよい。
【００９１】
励起光源１１と検出器１２と、第１参照光源１３と検出器１２、および第２参照光源１４と検出器１２とは、同期しており、検出器１２が受光した光が、どの光源からの光を照射することによって得られたものであるかが判別可能になっている。
【００９２】
各光源から励起光または参照光を出射するタイミングは、ユーザが決定してもよいが、利便性を考慮して、測定装置１０が備える制御部（不図示）によって制御されることが好ましい。励起光を出射するタイミングと、参照光を出射するタイミングとの間に大きな時間差があった場合には、その間にプローブの先端と測定部位７０との位置関係がずれる可能性がある。そのため、励起光を出射するタイミングと、参照光を出射するタイミングとの時間間隔は短い方が好ましい。また、励起光と参照光とを出射する順序は特に限定されず、どちらを先に出射してもよい。
【００９３】
検出器１２は、励起光源１１から励起光が出射された後に蛍光を受光すると、当該蛍光の波長ごとの蛍光強度を測定し、その測定結果を示す蛍光データを判定装置２０のデータ取得部２３へ出力する。
【００９４】
また、検出器１２は、第１参照光源１３から第１参照光が出射された後に、当該第１参照光の照射によって発生した第１放射光の強度を測定し、その放射光の強度と、第１参照光源１３から出射された第１参照光そのものの強度（反射率１００％のときの強度）とから第１参照光の反射率を算出する。そして、検出器１２は、当該反射率を示す第１放射光データをデータ取得部２３へ出力する。
【００９５】
反射率１００％の参照光の強度は、予め測定されており、記憶部２９に記憶されていることが好ましい。ただし、この測定のタイミングは、放射光の強度を測定した後でもよく、影響度算出部２４において影響度が算出される前に行われればよい。
【００９６】
検出器１２は、第２参照光についても同様の処理を行い、第２参照光の反射率を示す第２放射光データをデータ取得部２３へ出力する。
【００９７】
蛍光データ、第１放射光データおよび第２放射光データは、互いに対応付けられてデータ取得部２３へ出力される。
【００９８】
なお、第１および第２放射光が蛍光であり、その蛍光強度を用いて影響度を算出する場合には、第１および第２放射光データに蛍光強度を示す情報を含める。
【００９９】
＜測定装置１０の第１実施例＞
図２は、測定装置１０の第１実施例を示す概略図である。この実施例は、図１に示したものと同じ構成を有するものである。
【０１００】
本実施例においては、励起光源１１および、第１参照光源１３、第２参照光源１４として、ＬＥＤ、ＬＤ等が利用可能である。また、上述のように参照光源の数は、３つ以上であってもよい。
【０１０１】
また、検出器１２として、上述のＣＣＤアレイ等を用いることができる。
【０１０２】
本実施例では、ＬＥＤまたはＬＤ光源を用いて異なる波長の光を照射しているため、ハロゲンやキセノン光源のような管球タイプのものを用いて、分光して、異なる波長の光を照射する特許文献１の手法と比較して、装置の安価、小型化を実現できる。
【０１０３】
図２に示すように、励起光源１１から出射された励起光が測定部位７０（肌）に照射され、この照射によって発生した励起光は、検出器１２によって受光される。検出器１２は、分光器であり、蛍光の波長ごとの強度を測定する。
【０１０４】
一方、第１参照光源１３から出射された第１参照光が測定部位７０に照射され、この照射によって発生した第１放射光は、検出器１２によって受光される。検出器１２は、放射光の波長ごとの強度を測定する。
【０１０５】
また、第２参照光源１４から出射された第２参照光も同様に測定部位７０に照射され、この照射によって発生した第２放射光は、検出器１２によって受光され、その強度が波長ごとに測定される。
【０１０６】
上記構成により、肌内蛍光物質の蛍光強度を測定できるとともに、参照光を測定部位７０に照射することで発生する複数種類の放射光の強度を測定することができる。
【０１０７】
＜測定装置１０の第２実施例＞
図３は、測定装置１０の第２実施例示す概略図である。第２実施例では、検出器１２ａ〜ｃの３つの検出器を備えている点において第１実施例と異なっている。
【０１０８】
検出器１２ａは、励起光の照射により発生した蛍光の強度を測定するための検出器である。検出器１２ａとして、肌内蛍光物質（好ましくはＡＧＥs）の蛍光波長ピークの強度を選択的に検出できる波長範囲のフィルタとＰＤ（フォトダイオード）とを組み合わせた検出器が利用可能である。
【０１０９】
例えば、ＡＧＥｓを検出する場合のフィルタは、３２０〜５００ｎｍの範囲の波長を検出できるものが適しており、４００ｎｍ〜５００ｎｍの範囲の波長を検出できるものがより望ましい。
【０１１０】
検出器１２ｂは、第１参照光を測定部位７０に照射することによって生じる第１放射光の強度を測定するための検出器であり、検出器１２ｃは、第２参照光を測定部位７０に照射することによって生じる第２放射光の強度を測定するための検出器である。
【０１１１】
検出器１２ｂ、１２ｃとしては、影響物質（肌内吸光物質）の放射光の波長を選択的に検出できる範囲のフィルタとＰＤ（フォトダイオード）とを組み合わせた検出器が利用可能である。例えば、メラニンを検出する場合のフィルタは、５６８ｎｍ付近の波長と６６０ｎｍ付近の波長とを検出できるものが望ましい。
【０１１２】
検出器１２ａ〜ｃは、所望の波長に応じた光強度を選択的に取りだすためのもので、フィルタを複数用意して、それらを切り替えて、フォトダイオードで検出することも可能である。ゆえに、検出器１２ａ〜ｃは一体化可能である。
【０１１３】
上記フォトダイオードとしては、励起光源１１を用いて励起して得られる肌内蛍光物質の蛍光の波長範囲と、第１参照光源１３および第２参照光源１４を用いて得られる放射光の波長範囲と同範囲の波長を検出できるものであればよい。具体的には、３２０〜９００ｎｍの範囲が検出できるものであれば利用可能である。
【０１１４】
上記構成により、肌内蛍光物質の蛍光強度を測定できるとともに、複数種類の参照光を測定部位７０に照射することで発生する複数種類の放射光の強度を測定することができる。
【０１１５】
また、上記構成では、フィルタとフォトダイオードとにより必要な波長の光を検出できるため、分光器を用い、光をグレーティングして検出している特許文献１の手法と比較して、装置の安価、小型化を実現できる。
【０１１６】
＜測定装置１０の第３実施例＞
図４は、測定装置１０の第３実施例示す概略図である。第３実施例では、測定装置１０は、光源１７および検出器１２ｄを備えている。
【０１１７】
光源１７は、ハロゲンやキセノン光源のような管球タイプのものを用いて、分光して、異なる波長の光を照射する光源であり、励起光源１１、第１参照光源１３および第２参照光源１４の機能を兼ね備えたものである。
【０１１８】
検出器１２ｄは、光源１７から出射される励起光によって励起して得られる肌内蛍光物質の蛍光の波長範囲と、光源１７から出射される参照光を照射することによって得られる放射光の波長範囲と同範囲の波長を検出できるものであればよい。具体的には、３２０〜９００ｎｍの範囲が検出できるものであれば利用可能である。
【０１１９】
上記構成により、肌内蛍光物質の蛍光強度を測定できるとともに、複数種類の参照光を測定部位７０に照射することで発生する複数種類の放射光の強度を測定することができる。
【０１２０】
以上のような測定装置１０を用いて、測定対象の個体の肌から得られた肌内蛍光物質（好ましくはＡＧＥs）の蛍光データを測定するとともに、肌内吸光物質（メラニン、ヘモグロビンなど）に関する複数の放射光データを得ることができ、蛍光データを、放射光データを用いて補正することで、精度良く肌内蛍光物質（好ましくはＡＧＥs）を検出することができる。
【０１２１】
＜判定装置２０の構成＞
図１に示すように、判定装置２０は、測定装置１０が測定した蛍光強度を示す蛍光データと参照光の照射により得られた放射光データとを用いて、上記蛍光強度を補正し、補正した蛍光強度を用いて、測定対象の個体の肌の状態を判定する。
【０１２２】
判定装置２０と測定装置１０とは、物理的に分離された個別の装置として実現されており、有線または無線により互いに通信可能に接続されている。判定装置２０は、パーソナルコンピュータであってもよい。なお、測定装置１０と判定装置２０とを一体として実現してもよい。
【０１２３】
この判定装置２０は、主制御部２１、表示部２７、操作部２８および記憶部２９を備えている。
【０１２４】
（表示部２７）
表示部２７は、判定部２６の判定結果を表示する表示装置であり、例えば、液晶ディスプレイである。
【０１２５】
（操作部２８）
操作部２８は、ユーザからの入力操作を受け付ける入力装置であり、例えば、キーボード、マウス、入力ボタン等を含んでいる。
【０１２６】
（記憶部２９）
記憶部２９は、例えば、ハードディスク、フラッシュメモリなどの不揮発性の記憶装置であり、測定データ、参照蛍光強度、ユーザ設定情報などの各種の情報を記憶する。
【０１２７】
（主制御部２１）
主制御部２１は、制御プログラムを実行することにより、判定装置２０の各部を制御するものである。主制御部２１は、記憶部２９に格納されている制御プログラムを、例えばＲＡＭ（Random Access Memory）等で構成される一次記憶部（不図示）に読み出して実行することにより、各種処理を実行する。
【０１２８】
この主制御部２１は、データ解析部（補正装置）２２および判定部２６を備えている。
【０１２９】
（データ解析部２２）
データ解析部２２は、検出器１２から出力された蛍光データを、第１放射光データおよび第２放射光データに基づいて補正する。このデータ解析部２２は、データ取得部２３、影響度算出部２４および蛍光強度補正部２５を備えている。
【０１３０】
（データ取得部２３）
データ取得部２３は、検出器１２から出力された蛍光データ、第１放射光データおよび第２放射光データを取得する。蛍光データは、励起光を測定部位７０に照射することで発生する蛍光の測定結果を示すデータである。第１放射光データは、第１参照光を測定部位７０に照射することで発生する放射光の測定結果（放射光の強度または反射率）を示すデータである。第２放射光データは、第２参照光を測定部位７０に照射することで発生する放射光の測定結果（放射光の強度または反射率）を示すデータである。
【０１３１】
上述のように、想定される影響物質は２種類であるとの前提に立っているため、データ取得部２３が取得する放射光データは２種類であるが、想定される影響物質が３種類以上であれば、データ取得部２３が取得する放射光データも３種類以上となる。
【０１３２】
データ取得部２３は、受信した蛍光データが示す蛍光スペクトルに対してピークの分離・抽出などの解析を行い、特定のピーク波長における肌内蛍光物質（好ましくはＡＧＥs）の蛍光強度を抽出する。そして、データ取得部２３は、抽出した蛍光強度を示す抽出蛍光データを蛍光強度補正部２５へ出力する。
【０１３３】
また、データ取得部２３は、受信した第１放射光データおよび第２放射光データを影響度算出部２４へ出力する。
【０１３４】
（影響度算出部２４）
影響度算出部２４は、１種類以上の参照光を測定部位７０に照射することによって生体から放射される放射光の測定結果（放射光の強度、反射率または吸光度）を用いて、測定部位７０に含まれると推定される複数種類の影響物質の、測定対象物質の蛍光強度に及ぼす影響を示す複数の影響度を算出する。
【０１３５】
具体的には、影響度算出部２４は、第１放射光データが示す、測定部位７０に第１参照光を照射したときの第１放射光の強度または当該強度に基づいて算出される算出値（反射率または吸光度）を、検量線を示す数式に代入することで、第１影響物質による第１影響度を算出する。上記検量線を示す数式は、予め第１放射光の強度または算出値と、第１影響物質による蛍光強度の減衰量（どれだけ蛍光強度が減衰したかを示す値）との関係から算出された式である。
【０１３６】
上記検量線を示す式は、予め記憶部２９に格納されており、影響度算出部２４は、記憶部２９から上記検量線の式を取得する。
【０１３７】
影響度算出部２４は、第２放射光データについても同様の処理を行い、第２影響物質による第２影響度を算出する。
【０１３８】
そのために、影響度算出部２４は、例えば、第１放射光データが示す第１参照光の反射率より当該第１参照光の吸光度を算出する。
【０１３９】
第１参照光の吸光度は、下記（１）式により算出できる。
（吸光度）＝ｌｏｇ１０（ｌ０／ｌ）・・・（１）
（１）式において、ｌ０は、反射率１００％の場合の第１参照光の光強度であり、ｌは、第１参照光を測定部位７０に照射することで発生した第１放射光（反射光）の光強度である。それゆえ、ｌ０／ｌは、反射率の逆数である。第２参照光の吸光度についても同様に算出できる。
【０１４０】
また、各影響物質の影響度をより精度良く求めるために影響度算出部２４は、複数種類の影響物質の少なくとも１つについて、２種類以上の参照光を用いて当該影響物質の影響度を算出することが好ましい。
【０１４１】
１種類の影響物質（例えば、第１影響物質）を、２種類の参照光を用いて算出する場合には、第１参照光源１３から互いにピーク波長が異なる２種類の第１参照光（第１参照光Ａ、第１参照光Ｂと称する）を測定部位７０に対して照射する。または、第１参照光Ａを出射する第１参照光源１３Ａと、第１参照光Ｂを出射する第１参照光源１３Ｂとを設ける。
【０１４２】
検出器１２は、第１参照光Ａを照射したときに得られた第１放射光Ａの反射率と、第１参照光Ｂを照射したときに得られた第１放射光Ｂの反射率とを算出し、これらの反射率を示す第１放射光データを判定装置２０へ出力する。
【０１４３】
影響度算出部２４は、このようにして得られた第１放射光データから、第１参照光Ａおよび第１参照光Ｂの吸光度を上述のように算出し、これらの吸光度の差をとることで第１影響物質の吸光度を算出する。
【０１４４】
第２影響物質の吸光度を算出する場合も同様に算出することができる。
【０１４５】
例えば、影響物質としてメラニンやヘモグロビンが挙げられる。上記２種類の物質が主に肌色を決定し、特に肌のＡＧＥs蛍光測定に影響を及ぼす。メラニンは、紫外〜近赤外領域の光を吸収する。一方、ヘモグロビンは５６８ｎｍ付近の緑色領域に吸光のピークを持ち、６６０ｎｍ付近の赤色領域の光をほとんど吸収しない。また、ヘモグロビンは６６０ｎｍ〜８８０ｎｍの範囲の光をほとんど吸収しない。
【０１４６】
したがって、メラニン量（メラニンの吸光度）は、６６０ｎｍにおける反射率から求めた吸光度より８８０ｎｍにおける反射率から求めた吸光度を差し引くことにより求められる。
【０１４７】
また、ヘモグロビン量（ヘモグロビンの吸光度）は、５６８ｎｍにおける反射率から求めた吸光度より６６０ｎｍにおける反射率から求めた吸光度を差し引くことにより求められる。
【０１４８】
各影響物質の影響度の算出方法として、多変量解析により影響度を算出する方法が考えられる。その一例として、濃度既知の影響物質および測定対象物質を用いた実験において、重回帰分析の一種である最小二乗法を用いた検量線の数式を算出する方法を挙げる。
【０１４９】
具体的には、同一濃度の測定対象物質および互いに異なる濃度の第１影響物質を含む、複数種類の生体組織モデル（皮膚ファントムモデル）に対して励起光をそれぞれ照射したときに、第１影響物質の濃度に依存して、測定対象物質からの蛍光の強度がどれだけ減衰するかを示す減衰量と、各生体組織モデルに対して第１参照光を照射したときの当該第１参照光の吸光度との関係を示す検量線を予め作成しておく。
【０１５０】
第１参照光を測定部位７０に照射したときの吸光度を上記検量線を示す数式に代入することにより、第１影響物質によって測定対象物質からの蛍光の強度がどれだけ低下するかを示す影響度を算出することができる。
【０１５１】
例えば、生体組織モデルに含まれるメラニン量を変化させたときのメラニン吸光度と、蛍光の（真値 ― 実測値）の間で検量線を引き、吸光度に応じた補正係数を得る。
【０１５２】
ここでは一例として、線形近似で、近似曲線を引き、近似曲線の傾きａおよび切片ｂの値を用いて補正する例を示す。
【０１５３】
つまり、メラニンの影響度に関する蛍光の補正を、下記（２）式を用いて行う。
（補正強度）＝（実測値）＋{（メラニン吸光度）×ａ＋ｂ}  ・・・（２）
この方法以外にも、指数近似、対数近似、多項式近似などを用いてもよい。
【０１５４】
上述のようにメラニン吸光度を、２波長の参照光を用いて測定することで、上記補正式の精度が高まる。
【０１５５】
第２、第３の影響物質の吸光度に基づく補正も同様に行うことができる。
【０１５６】
影響度算出部２４は、各影響物質の影響度、すなわち、{（影響物質の吸光度）×ａ＋ｂ}の値を算出し、算出した影響度をそれぞれ蛍光強度補正部２５へ出力する。
【０１５７】
なお、影響度算出部２４を影響物質ごとに設け、影響度の算出を並行して行ってもよい。すなわち、第１影響物質の影響度を算出する第１影響度算出部、第２影響物質の影響度を算出する第２影響度算出部、…第ｎ影響物質の影響度を算出する第ｎ影響度算出部を設けてもよい。
【０１５８】
（蛍光強度補正部２５）
蛍光強度補正部２５は、影響度算出部２４が算出した複数の影響度を用いて、データ取得部２３から出力された抽出蛍光データが示す蛍光強度を補正する。
【０１５９】
蛍光強度補正部２５における蛍光強度の補正方法として、各影響物質の蓄積量に応じて、影響度を規格化（特定の値を基準とした相対値として表現）し、蛍光データが示す蛍光強度と規格化した影響度との和や差をとる、あるいは積や商をとることが挙げられる。
【０１６０】
蛍光強度補正部２５における補正の一例として、下記（３）式に示すように、実際に測定した蛍光強度（実測値）に各影響物質によって減衰した蛍光強度の値（影響度算出部２４が算出した影響度）を加算することで、測定値を真値に近づける方法が挙げられる。なお、（３）式においてｎは３以上の自然数である。
（補正強度）＝（実測値）＋（メラニンの影響度）＋（ヘモグロビンの影響度）＋・・・＋（第ｎ影響物質の影響度）          ・・・（３）
蛍光強度補正部２５は、補正した蛍光強度（補正後蛍光強度と称する）を示す補正後蛍光データを記憶部２９に格納するとともに、肌状態を判定することを命じる判定命令を判定部２６へ出力する。
【０１６１】
（判定部２６）
判定部２６は、蛍光強度補正部２５が算出した補正後蛍光強度と、所定の参照値（参照蛍光強度と称する）とを比較した結果に基づいて肌の状態を判定する。
【０１６２】
参照蛍光強度は、補正後蛍光強度を評価するための基準となる値である。例えば、参照蛍光強度は、予め年齢層ごとに算出された健常者の補正後蛍光強度の統計値（例えば、平均値）に基づいて算出された少なくとも１段階の値である。また、参照蛍光強度は、健常者の補正後蛍光強度の範囲であってもよい。
【０１６３】
判定部２６は、補正後蛍光強度が、参照蛍光強度よりも高い場合に、肌の状態は正常状態から外れていると判定する。参照蛍光強度を複数段階設け、正常、やや悪化、著しく悪化など、判定結果を複数段階出力してもよい。このような判定結果は、表示部２７に表示される。
【０１６４】
＜肌状態判定システム１００における処理の流れ＞
次に、肌状態判定システム１００における処理の流れの一例について説明する。図５は、肌状態判定システム１００（特に、判定装置２０）における処理の流れの一例を示すフローチャートである。
【０１６５】
まず、ユーザ（測定対象者）は、出射用光ファイバーおよび受光用光ファイバーで構成されるプローブの先端を、測定を所望する肌の箇所にあてる。励起光源１１から肌内蛍光物質（好ましくは肌内ＡＧＥs）の測定に適した波長の励起光が出射されると、その励起光は、励起光出射用光ファイバーの先端から肌に出射される（励起光出射工程）。
【０１６６】
肌に含まれる蛍光物質（好ましくはＡＧＥｓ）に励起光が照射されることによって、蛍光が放射される。この蛍光は、受光用光ファイバーの先端から入射し、検出器１２へと導かれる。
【０１６７】
検出器１２は、蛍光を受光すると（蛍光受光工程）、当該蛍光の波長ごとの蛍光強度を測定し、その測定結果を示す蛍光データを判定装置２０のデータ取得部２３へ出力する。
【０１６８】
また、続いて、第１参照光源１３から第１影響物質の測定に適した第１参照光が出射されると、その第１参照光は、第１参照光出射用光ファイバーの先端から肌に出射される（照射光出射工程）。
【０１６９】
肌に含まれる第１影響物質（メラニン、ヘモグロビンなど）に第１参照光が照射されることによって、当該第１参照光が反射されるか、または蛍光が発せられる。この反射光または蛍光（第１放射光）は、受光用光ファイバーの先端から入射し、検出器１２へと導かれる。
【０１７０】
第１参照光源１３からの第１参照光の出射が終了した後、続いて、第２参照光源１４から第２参照光の出射が行われ、同様に第２放射光が検出器１２へと導かれる。
【０１７１】
検出器１２は、複数種類の放射光を受光すると（放射光受光工程）、各放射光の波長に応じた反射率を測定し、その測定結果を示す第１および第２放射光データを判定装置２０のデータ取得部２３へ出力する。
【０１７２】
データ取得部２３は、蛍光データ、第１および第２放射光データを受け取ると（Ｓ１）、受信した蛍光データが示す蛍光スペクトルに対してピークの分離・抽出などの解析を行い、特定のピーク波長における肌内蛍光物質（好ましくはＡＧＥs）の蛍光強度を抽出する（Ｓ２）。そして、データ取得部２３は、抽出した蛍光強度を示す抽出蛍光データを蛍光強度補正部２５へ出力する。
【０１７３】
また、データ取得部２３は、受信した第１放射光データおよび第２放射光データを影響度算出部２４へ出力する。
【０１７４】
影響度算出部２４は、第１放射光データおよび第２放射光データを受信すると、第１および第２放射光データが示す反射率を用いて、各放射光の波長の吸光度を算出し、算出した吸光度から第１影響物質および第２影響物質の影響度をそれぞれ算出する（Ｓ３）（影響度算出工程）。そして、影響度算出部２４は、算出した影響度を蛍光強度補正部２５へ出力する。
【０１７５】
ステップＳ２とステップＳ３との順序は、逆でもよく、ステップＳ２とステップＳ３とを同時に行ってもよい。
【０１７６】
蛍光強度補正部２５は、データ取得部２３から受信した抽出蛍光データが示す蛍光強度を、影響度算出部２４から受信した影響度を用いて補正する（Ｓ４）。
【０１７７】
蛍光強度補正部２５は、補正した蛍光強度を示す補正後蛍光データを記憶部２９に格納するとともに、肌状態を判定することを命じる判定命令を判定部２６に出力する。
【０１７８】
判定部２６は、記憶部２９に格納された補正後蛍光データから肌内蛍光物質（好ましくはＡＧＥs）の補正後蛍光強度を抽出する。
【０１７９】
そして、判定部２６は、抽出した補正後蛍光強度と、記憶部２９に予め格納されている参照蛍光強度とを比較することにより肌状態の悪化の程度を判定する（判定工程）（Ｓ５）。
【０１８０】
参照蛍光強度として、例えば、１０代、２０代といった年齢層ごとに、肌内蛍光物質（好ましくはＡＧＥs）の補正蛍光強度の平均値が求められ、予め記憶部２９に格納されている。測定対象のユーザの年齢は、予め記憶部２９に格納されているか、または、測定時にユーザによって操作部２８を介して入力される。
【０１８１】
判定部２６は、測定対象のユーザの年齢に対応する参照蛍光強度を記憶部２９から読み出し、実測蛍光強度と比較する。例えば、判定部２６は、実測蛍光強度が参照蛍光強度よりも高い場合、ユーザの肌の状態は悪いと判定する。
【０１８２】
肌状態の判定を終えると、判定部２６は、判定結果を表示部２７へ出力し、表示部２７にて表示させる（Ｓ６）。
【０１８３】
（第２蛍光強度補正工程）
上述の蛍光測定において、蛍光強度をより正確に測定するために、特定の基準物質に対して励起光を照射し、その蛍光を基準として蛍光強度を補正することが好ましい。
【０１８４】
すなわち、本発明の測定方法に、基準物質から出射される標準となる蛍光を受光し、その蛍光の強度（リファレンス）を測定する標準蛍光測定工程と、上記標準蛍光測定工程において測定した蛍光の強度と所定の蛍光強度とを比較した結果に基づいて、上記蛍光データが示す蛍光の強度を補正する第２蛍光強度補正工程とを含めてもよい。所定の蛍光強度は、記憶部２９に予め記憶されていればよい。
【０１８５】
このような蛍光強度の補正を行うことにより、何らかの原因により、励起光源１１の出力が低下したり、検出器１２の検出感度が変化したりするなど、蛍光の検出に関わる部材に異常が生した場合に、その異常によって影響を受けた蛍光データを補正することができ、測定対象物質の測定精度（測定値の信頼性）を高めることができる。
【０１８６】
リファレンスを用いて蛍光強度の補正を行う場合の計算例の一例として、例えば、所定の強度とリファレンスとの比を算出し、当該比を実測値（励起光の照射によって発生した蛍光の強度）または補正後蛍光強度にかけることが挙げられる。測定装置１０が正常であれば、上記比が１となるように所定の強度が設定されており、その場合、上記演算によって実測値は変化しない。しかし、例えば、励起光源１１の出力または検出器１２の検出感度が低下した場合には、リファレンスが小さくなり、上記比は１より大きくなる。それゆえ、当該比を実測値にかけることによって実測値が増加し、励起光源１１の出力等が低下した影響を打ち消すことができる。
【０１８７】
第２蛍光強度補正工程における上述の演算は、蛍光強度補正部２５に行わせてもよく、データ解析部２２のその他の機能ブロック（図示しない第２蛍光強度補正部）に行わせてもよい。
【０１８８】
第２蛍光強度補正工程は、検出器１２が蛍光データに対して与える影響を除くためのものであるため、蛍光強度補正部２５における蛍光強度の補正には影響を及ぼさない。そのため、第２蛍光強度補正工程は、蛍光強度補正部２５における蛍光強度の補正より先に行われても、その後に行われてもよい。
【０１８９】
また、上記基準物質として、励起光を長時間照射しても蛍光強度が低下しにくい物質を選択することが好ましい。このような基準物質として、ナノメータサイズの粒子を用いたナノ粒子蛍光体を用いることが好ましい。ナノ粒子蛍光体は、励起光を連続的に照射しても発生する蛍光の強度が低下しにくい。上記基準物質として蛍光ビーズを用いた場合には、励起光を連続的に照射すると次第に蛍光強度が低下していくという問題がある。
【０１９０】
なお、ナノ粒子蛍光体は、ナノ粒子のサイズを調整することによって蛍光波長を調整できるものである。
【０１９１】
また、上述のように基準物質に対して励起光を照射することで発生した蛍光の強度（リファレンス）を測定し、当該蛍光強度に基づいて励起光源１１の出力または検出器１２の感度を調整してもよい。この場合、例えば、リファレンスが基準値から低下した分だけ励起光源１１の出力または検出器１２の感度を上げることにより、リファレンスが基準値を示すように調整すればよい。この調整は、ユーザが手動で行ってもよく、判定装置２０が自動的に行ってもよい。
【０１９２】
（放射光強度補正工程）
また、第１または第２参照光を所定の反射板（例えば、白色板）に照射することにより生じた反射光（リファレンス）を受光し（基準反射光受光工程）、受光した反射光の強度と所定の強度とを比較した結果に基づいて、第１または第２放射光の強度を補正してもよい（放射光強度補正工程、第３補正工程）。
【０１９３】
放射光強度補正工程では、第１または第２参照光を所定の反射板に照射することにより生じた反射光をリファレンスとして利用して、第２蛍光強度補正工程における上述の演算と同様の方法で第１または第２放射光データが示す放射光強度を補正する。
【０１９４】
すなわち、例えば、所定の強度とリファレンスとの比を算出し、当該比を実測値（第１または第２放射光の照射によって発生した放射光の強度）にかける。測定装置１０が正常であれば、上記比が１となるように設定されている。第１参照光源１３および第２参照光源１４の出力や、検出器１２の検出感度に異常がなければ、上記比は１となり、実測値は変化しない。逆に、例えば、第１参照光源１３の出力が低下した場合には、リファレンスが小さくなり、上記比は１より大きくなる。それゆえ、当該比を実測値にかけることによって実測値が増加し、第１参照光源１３の出力が低下した影響を打ち消すことができる。
【０１９５】
放射光強度補正工程における上述の演算は、蛍光強度補正部２５に行わせてもよく、データ解析部２２のその他の機能ブロック（図示しない放射光強度補正部）に行わせてもよい。
【０１９６】
また、上述のように第１または第２参照光を所定の反射板に照射することにより生じた反射光の強度（リファレンス）を測定し、当該強度に基づいて第１参照光源１３または第２参照光源１４の出力、または検出器１２の感度を調整してもよい。この場合、例えば、リファレンスが基準値から低下した分だけ第１・第２参照光源１３・１４の出力または検出器１２の感度を上げることにより、リファレンスが基準値を示すように調整すればよい。この調整は、ユーザが手動で行ってもよく、判定装置２０が自動的に行ってもよい。
【０１９７】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１９８】
また、上述した判定装置２０の各ブロック、特に主制御部２１は、ハードウェアロジックによって構成してもよいし、次のようにＣＰＵを用いてソフトウェアによって実現してもよい。
【０１９９】
すなわち、判定装置２０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである主制御部２１の制御プログラム（認証プログラム）のプログラムコード（実行形式プログラム、中間コードプログラム、ソースプログラム）をコンピュータで読み取り可能に記録した記録媒体を、上記主制御部２１に供給し、そのコンピュータ（またはＣＰＵやＭＰＵ）が記録媒体に記録されているプログラムコードを読み出し実行することによっても、達成可能である。
【０２００】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０１】
また、主制御部２１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２０２】
〔実験例１〕
次に、肌内蛍光物質（特にＡＧＥs）の蛍光測定において、１種類の影響物質の吸光度を複数種類の参照光を用いて算出し、算出した吸光度を用いて蛍光強度の補正を行うことの有用性について説明する。本実験例では、皮膚ファントムモデルを用いた、メラニン量に依存したＡＧＥｓ測定の実験結果について説明する。
【０２０３】
＜皮膚ファントムモデルの調製＞
放射光データによる蛍光強度の補正が有用であることを示すために、皮膚ファントムモデルを作製し、蛍光強度測定および反射率測定を行った。図６は、皮膚ファントムモデルを用いたメラニン量依存ＡＧＥｓ測定実験の方法を説明するための図である。
【０２０４】
図６に示すように、カップＡに濃度既知のメラニンを、カップＢに濃度既知の糖化コラーゲン（ＡＧＥs）を調製し、カップＡの上面から励起光および参照光を照射し、蛍光および複数の反射率データを取得した。
【０２０５】
（カップＡの調製）
皮膚ファントムモデルとしてのカップＡは、寒天溶液（１．５ｇ／１００ｍｌ）にユーメラニンを所定量添加することで調製した。なお、寒天はキシダ化学（株）の１級寒天末を用いた。また、ユーメラニンは、和光純薬工業（株）のユーメラニン，１００％を用いた。
【０２０６】
ユーメラニンは、主にチロシンやジヒドロキシフェニルアラニンから合成されるメラニン系色素の一種である。
【０２０７】
上記試薬を用いて、メラニン量を０．０５，０．１０，０．１５，０．２０，０．２５，０．３０ｍｇ／ｍｌの６種類の濃度に調整したものを用意した。
【０２０８】
（カップＢの調製）
糖化コラーゲン（ＡＧＥs）は、１／１５Ｍリン酸緩衝液にコラーゲン（４．５ｇ／ｄｌ）とグルコース（０．５Ｍ）とを混合させ、４０℃に設定したインキュベータ内で６０日間反応させることで調製した。
【０２０９】
上記６０日反応させた濃度固定の糖化コラーゲンＡＧＥs（カップＢ）に対して、カップＡのメラニン量を変化させることで、メラニン量依存ＡＧＥｓ測定実験を行った。
【０２１０】
＜測定装置＞
測定装置１０を用いて、上記皮膚ファントムモデルに対して、蛍光測定および反射率測定を行った。
【０２１１】
（光源）
ＡＧＥｓ蛍光測定用の励起光源として、３６５ｎｍのＬＥＤ光源を用いた。また、反射率測定用の参照光源として、５６８ｎｍ，６６０ｎｍ，８８０ｎｍの３種類のＬＥＤ光源を用いた。
【０２１２】
（分光器）
検出器１２としての分光器は、市販の小型の分光器を用いた。
【０２１３】
＜測定結果＞
図７は、人工的に合成した糖化コラーゲン（ＡＧＥs）を用いた蛍光スペクトルを示す図である。すなわち、上記カップＢに、３６５ｎｍの光を照射したときに得られた蛍光スペクトルである。
【０２１４】
同図では横軸に波長（ｎｍ）、縦軸に蛍光の強度（ａ．ｕ．）を示している。波長４６０ｎｍあたりの蛍光強度が、５１００ａ．ｕ．の値を示していることがわかる。この値を、ＡＧＥｓの蛍光強度の真値とする。
【０２１５】
図８は、図６に示した皮膚ファントムモデルを用いたメラニン量依存ＡＧＥｓ測定実験における蛍光強度の補正前後の値を示すグラフである。図９は、図８に示すグラフの部分拡大図である。図８および図９に示すように、補正しない場合には、メラニン量の増加に伴い蛍光強度が減少し、真値と異なる結果が得られることがわかる。
【０２１６】
そこで、６６０ｎｍおよび８８０ｎｍの波長の参照光を照射したときの反射率よりメラニンの吸光度を算出し、当該メラニンの吸光度を用いて蛍光強度を補正した。
【０２１７】
上記各波長の光における反射率のリファレンスとして、白色校正板を用意し、白色校正板に参照光を照射したときの反射光の光強度を反射率１００％の光強度とした。
【０２１８】
図８には、６６０ｎｍの参照光を用いて補正した場合の結果と、６６０ｎｍの参照光の吸光度と８８０ｎｍの参照光の吸光度との差を用いて補正した場合の結果とが示されている。
【０２１９】
６６０ｎｍの参照光を用いた補正は、下記（４）式に基づくものである。ａおよびｂは、上記（２）式と同様の算出方法で、６６０ｎｍの吸光度について検量線を作成することで求まる係数である。
（補正強度）＝（実測値）＋{（６６０ｎｍの吸光度）×ａ＋ｂ}  ・・・（４）
６６０ｎｍの参照光の吸光度と８８０ｎｍの参照光の吸光度との差を用いた補正は、下記（５）式に基づくものである。ｃおよびｄは、上記（２）式と同様の算出方法で、６６０ｎｍの吸光度と８８０ｎｍの吸光度との差について検量線を作成することで求まる係数である。
（補正強度）＝（実測値）＋{（６６０ｎｍの吸光度−８８０ｎｍの吸光度）×ｃ＋ｄ}  ・・・（５）
メラニンの吸光度を１波長の参照光を用いて算出し、蛍光強度を補正した場合には、真値からの標準偏差は２３８．４であり、２波長の参照光を用いた場合には、真値からの標準偏差は１１２．９であった。この結果から、メラニンの吸光度を１波長の参照光を用いて算出するよりも、２波長の参照光を用いて算出する方が補正の精度が高まることが分かる。
【０２２０】
〔実験例２〕
次に、実験例１と同様の実験を、影響物質をヘモグロビンに変更して行った結果について説明する。ただし、実験例１と同様の試薬についてはその説明を省略する。また、測定装置は、実験例１と同様のものを用いた。
【０２２１】
図１０は、皮膚ファントムモデルを用いたヘモグロビン量依存ＡＧＥｓ測定実験の方法を説明するための図である。図１０に示すように、カップＡに濃度既知のヘモグロビンを、カップＢ（実験例１と同様）に濃度既知の糖化コラーゲン（ＡＧＥs）を調製し、カップＡの上面から励起光および参照光を照射し、蛍光および複数の反射率データを取得した。
【０２２２】
（カップＡの調製）
皮膚ファントムモデルとしてのカップＡは、寒天溶液（１．５ｇ／１００ｍｌ）にヘモグロビンを所定量添加することで調製した。ヘモグロビンは、京都和光純薬社製のものを使用した。
【０２２３】
上記試薬を用いて、メラニン量を０．０５，０．１０，０．１５，０．２０，０．２５，０．３０ｍｇ／ｍｌの６種類の濃度に調整したものを用意した。
【０２２４】
＜測定結果＞
図１１は、図１０に示した皮膚ファントムモデルを用いたヘモグロビン量依存ＡＧＥｓ測定実験における蛍光強度の補正前後の値を示すグラフである。図１２は、図１１に示すグラフの部分拡大図である。図１１および図１２に示すように、補正しない場合には、ヘモグロビン量の増加に伴い蛍光強度が減少し、真値と異なる結果が得られることがわかる。
【０２２５】
そこで、５６８ｎｍおよび６６０ｎｍの波長の参照光を照射したときの反射率よりメヘモグロビンの吸光度を算出し、当該ヘモグロビンの吸光度を用いて蛍光強度を補正した。
【０２２６】
上記各波長の光における反射率のリファレンスとして、白色校正板を用意し、白色校正板に参照光を照射したときの反射光の光強度を反射率１００％の光強度とした。
【０２２７】
図１１には、５６８ｎｍの参照光を用いて補正した場合の結果と、５６８ｎｍの参照光の吸光度と６６０ｎｍの参照光の吸光度との差を用いて補正した場合の結果とが示されている。
【０２２８】
５６８ｎｍの参照光を用いた補正は、下記（６）式に基づくものである。ｅおよびｆは、上記（２）式と同様の算出方法で、５６８ｎｍの吸光度について検量線を作成することで求まる係数である。
（補正強度）＝（実測値）＋{（５６８ｎｍの吸光度）×ｅ＋ｆ}  ・・・（６）
５６８ｎｍの参照光の吸光度と６６０ｎｍの参照光の吸光度との差を用いた補正は、下記（７）式に基づくものである。ｇおよびｈは、上記（２）式と同様の算出方法で、５６８ｎｍの吸光度と６６０ｎｍの吸光度との差について検量線を作成することで求まる係数である。
（補正強度）＝（実測値）＋{（５６８ｎｍの吸光度−６６０ｎｍの吸光度）×ｇ＋ｈ}  ・・・（７）
ヘモグロビンの吸光度を１波長の参照光を用いて算出し、蛍光強度を補正した場合には、真値からの標準偏差は６４．９であり、２波長の参照光を用いた場合には、真値からの標準偏差は２３．６であった。この結果から、ヘモグロビンの吸光度を１波長の参照光を用いて算出するよりも、２波長の参照光を用いて算出する方が補正の精度が高まることが分かる。
【０２２９】
〔実験例３〕
次に、実験例１の補正と、実験例２の補正とを組み合わせて補正した場合の実験結果について説明する。すなわち、本実験例は、複数の影響物質の影響度を用いて、蛍光強度を補正する場合の例である。実験例１と同様の試薬についてはその説明を省略する。また、測定装置は、実験例１と同様のものを用いた。
【０２３０】
図１３は、皮膚ファントムモデルを用いたメラニン量およびヘモグロビン量依存ＡＧＥｓ測定実験の方法を説明するための図である。
【０２３１】
図１３に示すように、カップＡに濃度既知のメラニンおよびヘモグロビンを、カップＢ（実験例１と同様）に濃度既知の糖化コラーゲン（ＡＧＥs）を調製し、カップＡの上面から励起光および参照光を照射し、蛍光および複数の反射率データを取得した。
【０２３２】
（カップＡの調製）
カップＡは、寒天溶液（１．５ｇ／１００ｍｌ）にユーメラニンを０．２０／ｍｌおよびヘモグロビンを０．２０／ｍｌ添加することで調製した。
【０２３３】
図１４は、皮膚ファントムモデルを用いたメラニン量およびヘモグロビン量依存ＡＧＥｓ測定実験における蛍光強度の補正前後の値を示すグラフである。
【０２３４】
２波長による補正では、６６０ｎｍの参照光を照射したときの吸光度による蛍光強度の補正（メラニンの影響を除くための補正）に加え、５６８ｎｍの参照光を照射したときの吸光度による蛍光強度の補正（ヘモグロビンの影響を除くための補正）を行っている。この補正に用いた式は、上記（４）式および（６）式である。
【０２３５】
３波長による補正では、６６０ｎｍの吸光度と８８０ｎｍの吸光度との差による蛍光強度の補正（メラニンの影響を除くための補正）に加え、５６８ｎｍの吸光度と６６０ｎｍの吸光度との差による蛍光強度の補正（ヘモグロビンの影響を除くための補正）を行っている。この補正に用いた式は、上記（５）式および（７）式である。
【０２３６】
図１４に示すように、メラニンの影響を除く補正に加え、ヘモグロビンの影響を除く補正を行うことにより、一方だけの場合よりも補正の精度が高まることが分かる。
【０２３７】
＜その他の変更例＞
１種類の影響物質の吸光度を３種類以上の参照光を用いて算出してもよい。
【０２３８】
また、測定部位７０における影響物質の濃度を、当該影響物質を検出するための参照光の吸光度から算出し、影響物質の濃度と蛍光強度の減衰量との関係を示す検量線の式を用いて、当該影響物質による蛍光強度の減衰量を算出してもよい。
【０２３９】
また、参照光を照射することによって影響物質から放射される蛍光の強度と、測定対象物質の蛍光強度の減衰量あるいは増大量との関係を示す検量線の式を用いて、影響物質の蛍光強度から測定対象物質の蛍光強度の減衰量あるいは増大量を算出してもよい。
【０２４０】
測定対象物質の蛍光スペクトルに影響物質のスペクトルが重なることにより、真値より蛍光強度が高くなる可能性がある。それゆえ、測定対象物質の蛍光強度の減衰量のみならず、蛍光強度の増大量についても考慮することが好ましい。
【０２４１】
なお、本発明の実施形態は、以下のようにも表現できる。
【０２４２】
すなわち、本発明の一実施形態に係る肌状態判定方法は、測定対象の個体の肌に対して、励起光を照射し、該測定部の蛍光データを測定するとともに、該励起光を含む複数の波長の光を、該測定部に照射したときの複数の反射光データを用いて、該蛍光データを補正するものである。
【０２４３】
上記の判定方法によれば、個体の肌における蛍光データと複数の反射光データとが得られる。複数の反射光データを用いて、該蛍光データを補正することで、ＡＧＥｓの検出結果に影響を及ぼす阻害物質の影響を低減することができる。よって、肌の状態を精度よく測定することができる。
【０２４４】
測定対象部として、個体の腕、手首、耳朶、指尖、掌、頬、二の腕の内側などを例示することができる。
【０２４５】
また、上記肌状態判定方法において、上記複数の反射光データより、少なくとも１種類の肌内吸光物質量を算出し、該吸光物質量を用いて、上記蛍光データを補正することが好ましい。
【０２４６】
また、上記肌状態判定方法において、上記複数の反射光データにより得られた吸光度の差から、皮膚の表皮に含まれるメラニンやヘモグロビンなどの吸光物質量を算出し、上記蛍光データを補正することが好ましい。
【０２４７】
上記の判定方法によれば、複数の反射光データから阻害要因の吸光度を算出している。各反射光データにＡＧＥs由来の吸光の影響が含まれるが、各反射光データの差を用いて、阻害要因の吸光物質量を算出するため、ＡＧＥｓ由来の吸光の影響を低減することが可能となる。よって、肌内阻害要因の吸光物質量を精度よく検出することができる。
【０２４８】
なお、肌内阻害要因の吸光物質としては、ヒトの皮膚色に影響があるとされているメラニンや血色素（ヘモグロビン）などを例示することができる。
【０２４９】
また、上記肌状態判定方法において、上記反射光データを得るための照射光は、ＡＧＥｓ（Ａｄｖａｎｃｅｄ  Ｇｌｙｃａｔｉｏｎ  Ｅｎｄｐｒｏｄｕｃｔｓ）由来の吸光の影響が少ない波長を有していることが好ましい。
【０２５０】
上記の判定方法によれば、ＡＧＥｓ由来の吸光の影響の少ない波長の光を用いて、反射光データが得られる。肌内阻害物質の吸光物質量は、該反射光データを用いて算出するため、該波長の光を用いることで、ＡＧＥｓ由来の吸光の影響を低減することが可能となる。よって、肌内阻害要因の吸光物質量を精度よく検出することができる。
【０２５１】
また、上記肌状態判定方法において、上記反射光データを得るための複数の照射光の中の一つは、５５０ｎｍ以上９００ｎｍ以下の波長範囲に含まれていることが好ましい。
【０２５２】
上記の判定方法によれば、５５０ｎｍ以上９００ｎｍ以下の波長範囲の照射光を用いて、反射光データを測定している。ＡＧＥｓは、主に紫外光〜可視光領域の波長の光を吸収するため、該波長の光を用いることで、ＡＧＥｓ由来の吸光の影響を低減することが可能となる。よって、肌内阻害要因の吸光物質量を精度よく検出することができる。
【０２５３】
たとえば、肌内阻害要因の吸光物質の一つとして挙げられるメラニン量の算出には、６６０ｎｍと８８０ｎｍの２波長の照射光を用いて得られる反射光データの差を用いることが望ましい。
【０２５４】
また、肌内阻害要因の吸光物質の一つとして挙げられるヘモグロビン量の算出には、５６８ｎｍと６６０ｎｍの２波長の照射光を用いて得られる反射光データの差を用いることが望ましい。
【０２５５】
また、上記肌状態判定方法において、上記蛍光データの測定の標準となる蛍光の強度を用いて、肌内蛍光物質の蛍光の強度を補正する補正工程をさらに含むことが好ましい。
【０２５６】
上記の判定方法によれば、標準となる蛍光（リファレンス）に基づいて、蛍光データを補正するため、測定値の信頼性を高めることができる。
【０２５７】
また、上記肌状態判定方法において、上記蛍光データは、肌内のＡＧＥｓ（Ａｄｖａｎｃｅｄ  Ｇｌｙｃａｔｉｏｎ  Ｅｎｄｐｒｏｄｕｃｔｓ）に由来するものであることが好ましい。
【０２５８】
上記の判定方法によれば、肌内のＡＧＥｓを検知することができる。なお、本願発明者は、これまでに、糖化が進んだ肌において、ＡＧＥｓ由来の蛍光強度が増加することを見出している。よって、ＡＧＥｓ由来の蛍光強度を測定することで、肌の糖化の進み具合を確認できるので、ＡＧＥｓを検出する判定方法を実現することは有用である。
【０２５９】
また、上記判定法は、化粧品の効果を確認するなど、カウンセリングの現場での利用が可能となる。
【０２６０】
本発明の一実施形態に係る肌状態判定装置は、測定対象の個体の肌に対して、励起光を照射したときに得られる、肌内物質の蛍光強度を測定する測定部ａと、上記肌内物質を除く少なくとも１種類の肌内吸光物質を測定する測定部ｂを備え、上記測定部ａで得られた蛍光データを、測定部ｂで得られた複数の反射光データを用いて補正するデータ解析部と、上記解析部により算出されたデータを用いて、上記肌の状態を判定する判定部を備えている。
【０２６１】
上記の構成によれば、測定部ａにおいて、肌内物質の蛍光強度が測定され、測定部ｂにおいて、肌内阻害要因の吸光物質量を算出するための複数の反射光データが測定される。そして、データ解析部において、測定された複数の反射光データを用いて、肌内阻害要因の吸光物質量を求め、該吸光物質量より、測定された蛍光強度を補正する。そして、補正された蛍光強度を用いて、肌の状態が判定部に置いて判定される。
【０２６２】
複数の反射光データを用いて、蛍光データを補正するため、ＡＧＥｓの検出結果に影響を及ぼす阻害物質の影響を低減することができる。よって、肌の状態を精度よく判定することができる。
【０２６３】
また、上記測定部ｂは、上記肌に対して、上記励起光波長を含む複数の波長の光を照射したときの複数の反射光強度を測定することが好ましい。
【０２６４】
上記の構成によれば、複数の反射光データを用いて阻害要因の吸光度を算出可能となる。各反射光データには、ＡＧＥs由来の吸光の影響が含まれるが、各反射光データの差を用いて、阻害要因の吸光物質量を算出するため、ＡＧＥｓ由来の吸光の影響を低減することが可能となる。よって、肌内阻害要因の吸光物質量を精度よく検出することができる。
【０２６５】
また、上記測定部ａは、上記肌に対して励起光を照射し、当該励起光の照射によって発生した蛍光の強度を測定することが好ましい。
【０２６６】
また、上記励起光の波長は、肌内のＡＧＥｓ（Ａｄｖａｎｃｅｄ  Ｇｌｙｃａｔｉｏｎ  Ｅｎｄｐｒｏｄｕｃｔｓ）を検知することが可能な範囲内の波長であることが好ましい。
【０２６７】
上記の構成によれば、肌内のＡＧＥｓを検知することができる。なお、本願発明者は、これまでに、糖化が進んだ肌において、ＡＧＥｓ由来の蛍光強度が増加することを見出している。よって、ＡＧＥｓ由来の蛍光強度を測定することで、肌の糖化の進み具合を確認できるので、ＡＧＥｓを検出する判定装置を実現することは有用である。
【０２６８】
また、化粧品の効果を確認するなど、カウンセリングの現場での判定装置の利用が可能となる。
【０２６９】
また、上記判定部は、上記データ解析部により算出された蛍光補正データと、所定の参照値とを比較した結果に基づいて上記肌の状態を判定することが好ましい。
【０２７０】
また、上記測定により得られた蛍光補正データが、上記所定の参照値よりも高い場合に、上記判定部は、上記肌の状態は正常状態から外れていると判定することが好ましい。
【０２７１】
上記の構成により、実測値と予め用意された参照値とを比較することにより、実測値が参照値とどれだけ異なっているかを求め、その結果から肌の状態を判定することができる。
【０２７２】
また、上記所定の参照値は、上記個体が属する年齢層における肌内蛍光物質の蛍光強度の統計値に基づく値であることが好ましい。
【０２７３】
上記の構成により、測定対象の個体の年齢に見合った参照値を用いて肌状態の判定を行うことができ、判定の信頼性を高めることができる。
【０２７４】
また、上記測定部と上記データ解析部及び上記判定部とは、物理的に分離でき、通信可能に接続できるものであることが好ましい。
【０２７５】
上記の構成によれば、測定部とデータ解析部及び判定部とを別々の装置として実現でき、例えば、測定装置と、判定装置としてのパソコンとの組み合わせとして発明を実現できる。なお、データ解析部は、判定装置に含まれる。
【０２７６】
上記肌状態判定装置が備える判定部としてコンピュータを機能させるための肌状態判定プログラムおよび当該肌状態判定プログラムを記録したコンピュータ読み取り可能な記録媒体も本発明の技術的範囲に含まれる。
【産業上の利用可能性】
【０２７７】
本発明は、肌状態に適した抗老化や抗糖化効果等の化粧品・医薬品の選択、肌のカウンセリング、あるいは化粧品・医薬品の有効性評価・モニタリング等、多面的に利用できる。
【符号の説明】
【０２７８】
１０  測定装置
１１  励起光源（励起光照射部）
１２  検出器（蛍光測定部、放射光測定部）
１２ａ  検出器（蛍光測定部、放射光測定部）
１２ｂ  検出器（蛍光測定部、放射光測定部）
１２ｃ  検出器（蛍光測定部、放射光測定部）
１２ｄ  検出器（蛍光測定部、放射光測定部）
１３  第１参照光源（参照光照射部）
１４  第２参照光源（参照光照射部）
１７  光源
２１  主制御部（補正装置）
２２  データ解析部（補正装置）
２４  影響度算出部
２５  蛍光強度補正部
７０  測定部位
１００  肌状態判定システム（測定システム）
【図１】
2013134147.tif 000003
【図２】
2013134147.tif 000004
【図３】
2013134147.tif 000005
【図４】
2013134147.tif 000006
【図５】
2013134147.tif 000007
【図６】
2013134147.tif 000008
【図７】
2013134147.tif 000009
【図８】
2013134147.tif 000010
【図９】
2013134147.tif 000011
【図１０】
2013134147.tif 000012
【図１１】
2013134147.tif 000013
【図１２】
2013134147.tif 000014
【図１３】
2013134147.tif 000015
【図１４】
2013134147.tif 000016